(57)【要約】【課題】快適な履き心地のよさを着用者に与えることができると同時に、外観上も違和感のないふんどしの提供を図る。【解決手段】布部１と結び紐２とを備えるふんどしであり、布部１は、本体部分３と、この本体部分の先端側に設けられた前垂れ部分４とを備える。本体部分３は、着用者に接する内面５がパイルループ６のあるパイル地から構成され、この着用者側の面の反対側である外面７がパイルループのないガーゼ地から構成されている。前垂れ部分４は、上記本体部分３の内面５につながる内面８がパイルループのない平織地から構成され、上記本体部分３の外面につながる外面７がパイルループ１０のあるパイル地から構成されている。【選択図】          図３
0003160681.tif 000002
【実用新案登録請求の範囲】
【請求項１】
布部と、この布部の基端から左右に伸びる結び紐とを備え、上記結び紐を着用者の胴に結び着けると共に、上記布部を着用者の臀部から下腹部に回して、上記結び紐の下から通おして前に垂らして着用するふんどしにおいて、
上記布部は、本体部分と、この本体部分の先端側に設けられた前垂れ部分とを備え、
上記本体部分は、着用者に接する内面がパイルループのあるパイル地から構成され、この着用者側の面の反対側である外面がパイルループのない平織地から構成されていることを特徴とするふんどし。
【請求項２】
上記本体部分は、着用者に接する内面がパイルループのあるパイル地から構成され、この着用者側の面の反対側である外面がパイルループのないガーゼ地から構成され、
上記前垂れ部分は、上記本体部分の内面につながる内面がパイルループのないガーゼ地から構成され、上記本体部分の外面につながる外面がパイルループのあるパイル地から構成されていることを特徴とする請求項１記載のふんどし。
【請求項３】
上記前垂れ布部分の長さが３０〜６５cmであり、本体部分の長さが４５〜７０cmであり、上記本体部分が前垂れ部分よりも長いことを特徴とする請求項２記載のふんどし。
【考案の詳細な説明】
【技術分野】
【０００１】
本願考案は、ふんどしに関するものである。
【背景技術】
【０００２】
特許文献１に示すように、長辺を縦にして使用する長方形の吸汗シートの上下辺縁部付近に穴を開け、紐を通せるようにした吸汗多目的シートが提案されている。このシートは、上部辺縁部の穴に紐を通し、首に掛けて人体の前後いずれかの片面を覆うもので、下部辺縁部付近の穴に紐を通し新しいタオルと連結し、上着を脱がずにタオルだけを取り替えができるようにしたものである。また手提げ用具、簡易オムツ、簡易フンドシとして使用できる構造としている。
【０００３】
このように、タオルを簡易ふんどしとして用いることは提案されているものの、越中ふんどしにパイル地を用いることは提案されておらず、また、ふんどしは、さらし等の木綿の平織の生地でキリリと締めて着用するというイメージがり、パイルループのあるパイル地が外側に見えると、違和感を覚える人も多い。
【先行技術文献】
【特許文献】
【０００４】
【特許文献１】登録実用新案第３０２０３２８号公報
【考案の概要】
【考案が解決しようとする課題】
【０００５】
本願考案は、快適な履き心地のよさを着用者に与えることができると同時に、外観上も違和感のないふんどしの提供を図ることにある。
【課題を解決するための手段】
【０００６】
本願の請求項１に係る考案は、布部と、この布部の基端から左右に伸びる結び紐とを備え、上記結び紐を着用者の胴に結び着けると共に、上記布部を着用者の臀部から下腹部に回して、上記結び紐の下から通おして前に垂らして着用するふんどしにおいて、上記布部は、本体部分と、この本体部分の先端側に設けられた前垂れ部分とを備え、上記本体部分は、着用者に接する内面がパイルループのあるパイル地から構成され、この着用者側の面の反対側である外面がパイルループのない平織地から構成されていることを特徴とするふんどしを提供する。
【０００７】
本願の請求項２に係る考案は、上記本体部分は、着用者に接する内面がパイルループのあるパイル地から構成され、この着用者側の面の反対側である外面がパイルループのないガーゼ地から構成され、上記前垂れ部分は、上記本体部分の内面につながる内面がパイルループのないガーゼ地から構成され、上記本体部分の外面につながる外面がパイルループのあるパイル地から構成されていることを特徴とする請求項１記載のふんどしを提供するものである。
【０００８】
本願の請求項３に係る考案は、上記前垂れ布部分の長さが３０〜６５cmであり、本体部分の長さが４５〜７０cmであり、上記本体部分が前垂れ部分よりも長いことを特徴とする請求項２記載のふんどしを提供する。
【考案の効果】
【０００９】
本願考案は、ふんどしの布部が、本体部分と、この本体部分の先端側に設けられた前垂れ部分とを備え、上記本体部分は、着用者に接する内面がパイルループのあるパイル地から構成され、この着用者側の面の反対側である外面がパイルループのない平織地から構成されているため、快適な着用感を与えることができる。他方、外面がパイルループのない平織地から構成されているため、従来のふんどしのもっているキリリと締まるイメージを外観上損なうことがない。特に、本体部分は、着用者に接する内面がパイルループのあるパイル地から構成され、この着用者側の面の反対側である外面がパイルループのないガーゼ地から構成され、上記前垂れ部分は、上記本体部分の内面につながる内面がパイルループのないガーゼ地から構成され、上記本体部分の外面につながる外面がパイルループのあるパイル地から構成されているため、結び紐から折り返される前垂れ部分においても、外観上、ガーゼ地が外側に現れることになり、ふんどしのイメージを損なうわない。
【図面の簡単な説明】
【００１０】
【図１】本願考案の一実施の形態に係るふんどしの正面図である。
【図２】同背面図である。
【図３】着用状態の説明図である。
【考案を実施するための形態】
【００１１】
以下、図面に基づき本願考案の実施の形態を説明する。
【００１２】
図示の実施の形態に係るふんどしは、縦長長方形の布部１と、この布部１に取り付けられた結び紐２とを備える。結び紐２は、左右別々の紐としてもよいが、この例にあっては、左右に連続した結び紐２に布部１を縫着している。詳しくは、左右に長い細布を前後に二つ折りにして、前の部分と後の部分との間に布部１を挟んで、折り重ねた前後両側返同士を逢着している。
【００１３】
このふんどしは、従来の越中ふんどしと同様、結び紐２を着用者の胴に回して着用者の腹で結び着けると共に、布部１を着用者の臀部から下腹部に回して、結び紐２の下から通おして前に垂らして着用する。
【００１４】
上記布部１は、結び紐２が逢着される長方形の本体部分３と、この本体部分３の先端側に設けられた長方形の前垂れ部分４とを備える。
【００１５】
本体部分３は、片面パイルのタオル地から構成されており、着用者に接する内面５がパイルループ６のあるパイル地から構成され、この着用者側の面の反対側である外面７がパイルループのない平織地（地糸の細いガーゼ地）とされている。この本体部分３の長さは成人男性用で４５〜７０cmが適当であるが適宜変更して実施し得る。また横幅は３０〜５０cmが適当であるが適宜変更して実施し得る。
【００１６】
前垂れ部分４は、片面パイルのタオル地から構成されており、上記本体部分３の内面５につながる内面８がパイルループのない平織地（地糸の細いガーゼ地）から構成され、上記本体部分３の外面７につながる外面９がパイルループ１０のあるパイル地から構成されている。着用時にあっては、前垂れ部分４は結び紐２の下から通されて前に折り返されるため、内面８が外側になり、外面９が内側に来る。この前垂れ部分４の長さは、本体部分３よりも短く、成人男性用で３０〜６５cmが適当であるが適宜変更して実施し得る。また横幅は本体部分３と同じく、３０〜５０cmが適当であるが適宜変更して実施し得る。なお、この実施の形態では、前記の本体部分３の長さを５５cm、前垂れ部分４の長さを４５cmとして実施している。この前垂れ部分４は、本体部分３の先端辺にミシン縫い等で逢着すればよいが、連続した一連の布地で構成し、本体部分３と前垂れ部分４とでパイルループの出現面を変えることで、縫い目のない連続した布部１とすることもできる。布部１や結び紐２には、種々の着色模様や織柄を施すこともできる。
【００１７】
着用に際しては、着用者の肌に接する本体部分３の内面５がパイル地で構成されているため、パイルループ６の肌触りが快適な着用感を着用者に与えることができると同時に、パイルループのない外面６がキリリとしたふんどしらしい外観を与えることができる。また、折り返される前垂れ部分４もパイルループのない内面８が外側に来るため、キリリとしたふんどしらしい外観を与えることができる。
【符号の説明】
【００１８】
１  布部
２  結び紐
３  本体部分
４  前垂れ部分
５  本体部分の内面
６  パイルループ
７  本体部分の外面
８  前垂れ部分の内面
９  前垂れ部分の外面
10  パイルループ
【図１】
0003160681.tif 000003
【図２】
0003160681.tif 000004
【図３】
0003160681.tif 000005